(57)【要約】      （修正有）【課題】快適で楽しく、娯楽とレジャーの機能を兼ね備えた自転車スマート座席バッグシステムを提供する。【解決手段】自転車スマート座席バッグシステムは、自転車２、スマートコントロールシステム３、表示コントロールシステム４及び補助装置５を有する。スマートコントロールシステムは座席バッグコントロール装置、感知装置、カメラレンズ装置、ライティング装置、警告装置及びパワーサプライ装置を有する。本発明はスマートコントロールシステム３、表示コントロールシステム４及び補助装置５の設置により、自転車は中、短距離の交通手段或いはフィットネスとして使用される基本的機能の他に、リアルタイムのＧＰＳナビゲーション、道路画像表示、走行データ記録、自転車本体盗難防止、ライティングサウンドアラート、ラジオ／音楽再生等機能を使用者に提供できるので、安全性を大幅に高め、快適で楽しく、娯楽とレジャーの機能を兼ね備えている。【選択図】図１
2016101919.tif 000002
【特許請求の範囲】
【請求項１】
自転車スマート座席バッグシステムであって、自転車、スマートコントロールシステム及び表示コントロールシステムを有し、
前記スマートコントロールシステムは、前記自転車の座席バッグに設置され、
前記表示コントロールシステムは、前記自転車のハンドルに設置され、
前記スマートコントロールシステムと前記表示コントロールシステムとの間は、無線信号伝送により相互に連結され、
前記スマートコントロールシステムは、座席バッグコントロール装置、感知装置、カメラレンズ装置、ライティング装置、警告装置及びパワーサプライ装置を有し、且つ相互間は電気的に連接され、
前記座席バッグコントロール装置は、マイクロプロセッサー、データ保存装置及び無線通信モジュールを有し、且つ相互間は電気的に連接され、
前記感知装置は、光センサー、温度センサー、重力センサー、気圧計、ジャイロメーター、電子コンパス、レーダーセンサー、ＧＰＳシステムセンサーの内の何れか一つ、或いは任意の組合せを有し、
前記カメラレンズ装置は、リア撮影カメラレンズを有し、
前記ライティング装置は、補助ライト、テールランプ、インジケーター、装飾ランプの内の何れか一つ、或いは任意の組合せを有し、
前記警告装置は、スピーカー、バイブレーターの内の何れか一つ、或いは任意の組合せを有し、
前記表示コントロールシステムは、表示スクリーン、コントロール処理モジュール、データ通信装置及び電源モジュールを有し、且つ相互間は電気的に連接されることを特徴とする自転車スマート座席バッグシステム。
【請求項２】
前記スマートコントロールシステムのパワーサプライ装置は、充電電池モジュール、ソーラーエネルギーモジュール、風力エネルギーモジュール、運動エネルギー発電モジュールの内の何れか一つ、或いは任意の組合せを有し、
前記ソーラーエネルギーモジュールは、ソーラーエネルギーパネルを設置する前記自転車の座席バッグ或いは車体フレームに連接し、
前記風力エネルギーモジュールは、風力転換アセンブリを設置する前記自転車の座席バッグ或いは車体フレームに連接し、
前記運動エネルギー発電モジュールは、運動エネルギー転換アセンブリを設置する前記自転車の伝動ギアに連接されることを特徴とする請求項１に記載の自転車スマート座席バッグシステム。
【請求項３】
前記自転車スマート座席バッグシステムは、補助装置をさらに有し、
前記補助装置は、マイク、ベルプッシュボタン、ライトコントロールスイッチの内の何れか一つ、或いは任意の組合せを有し、
前記マイクは、前記自転車の座席バッグに設置され、且つ前記スマートコントロールシステムの前記座席バッグコントロール装置との間は電気的に連接され、
前記ベルプッシュボタンは、前記自転車のハンドルに設置され、且つ有線連接或いは無線伝送の方式により、前記スマートコントロールシステムの座席バッグコントロール装置に連結され、
前記ライトコントロールスイッチは、前記自転車のハンドルに設置され、且つ有線連接或いは無線伝送の方式により、前記スマートコントロールシステムの座席バッグコントロール装置に連結されることを特徴とする請求項１或いは２に記載の自転車スマート座席バッグシステム。
【請求項４】
前記表示コントロールシステムの表示スクリーンは、タッチパネルであることを特徴とする請求項３に記載の自転車スマート座席バッグシステム。
【請求項５】
前記表示コントロールシステムは、スマートフォン或いはタブレットＰＣであることを特徴とする請求項４に記載の自転車スマート座席バッグシステム。
【発明の詳細な説明】
【技術分野】
【０００１】
本発明は自転車スマート座席バッグシステムに関し、特に自転車座席バッグに設置されるスマート自転車コントロールシステムに関する。
【背景技術】
【０００２】
自転車はすでに十分に長い期間発展しているが、電子部分の多くは簡単なヘッドライト、テールランプ、速度メーターや走行距離メーターにとどまっている。
リアビュー（ｒｅａｒ  ｖｉｅｗ）システムは開発されているが、撮影ヘッドとスクリーンとの単純な結合に過ぎず、機能は簡単で実用的でないため、使っている自転車騎乗車は多くない。
【０００３】
だが、自転車がにぎやかな都市、或いは田舎の田畑にある際には、自転車に騎乗するリスクは他の交通手段に決して引けを取らない。
しかし、騎乗車が夜間にヘッドライトとテールランプのスイッチの取り付け或いはオンを忘れ、或いは振り返って後ろを見ながら前方の状況への注意を怠っている様子がしばしば見られる。
さらには、音楽を聴こうとして、プレーヤーや携帯電話端末をハンドル或いはボディ上に掛けたり、固定しようとすることもある。
【０００４】
しかし、電子技術は急速に進歩しているにもかかわらず、自転車上に使用することはできないため、自転車の電子補助装置にはさらに大きな進歩の余地があると言える。
【発明の概要】
【発明が解決しようとする課題】
【０００５】
本発明の目的は自転車スマート座席バッグシステムを提供することにある。
【課題を解決するための手段】
【０００６】
本発明による自転車スマート座席バッグシステムは、自転車、スマートコントロールシステム、表示コントロールシステム及び補助装置を有する。
該スマートコントロールシステムは、該自転車の座席バッグに設置される。
該表示コントロールシステムは、該自転車のハンドルに設置される。
該スマートコントロールシステムと該表示コントロールシステムとの間は、無線信号伝送により相互に連結される。
該スマートコントロールシステムは、座席バッグコントロール装置、感知装置、カメラレンズ装置、ライティング装置、警告装置及びパワーサプライ装置を有し、且つ相互間は電気的に連接される。
該表示コントロールシステムは、表示スクリーン、コントロール処理モジュール、データ通信装置及び電源モジュールを有し、且つ相互間は電気的に連接される。
【発明の効果】
【０００７】
本発明はスマートコントロールシステム、表示コントロールシステム及び補助装置の設置により、自転車は中、短距離の交通手段或いはフィットネスとして使用される基本的機能の他に、リアルタイムのＧＰＳナビゲーション、道路画像表示、走行データ記録、自転車本体盗難防止、ライティングサウンドアラート、ラジオ／音楽再生等機能を使用者に提供でき、自転車走行の安全性を大幅に高めることができるだけでなく、快適で楽しく、娯楽とレジャーの機能を兼ね備えた騎乗体験を使用者に提供することができる。
【図面の簡単な説明】
【０００８】
【図１】本発明のシステム構造図（一）である。
【図２】本発明のシステム構造図（二）である。
【図３】座席バッグの前側模式図である。
【図４】座席バッグの後側模式図である。
【図５】本発明の実施形態図である。
【発明を実施するための形態】
【０００９】
図１〜図５に示す通り、自転車スマート座席バッグシステム１は、自転車２、スマートコントロールシステム３、表示コントロールシステム４及び補助装置５を有する。
【００１０】
スマートコントロールシステム３は、自転車２の座席バッグ２１に設置される。
表示コントロールシステム４は、自転車２のハンドルに設置される。
スマートコントロールシステム３と表示コントロールシステム４との間は、無線信号伝送により相互に連結される。
【００１１】
スマートコントロールシステム３は、座席バッグコントロール装置３１、感知装置３２、カメラレンズ装置３３、ライティング装置３４、警告装置３５及びパワーサプライ装置３６，且つ相互間は電気的に連接される。
【００１２】
表示コントロールシステム４は、表示スクリーン４１、コントロール処理モジュール４２、データ通信装置４３及び電源モジュール４４を有し、且つ相互間は電気的に連接される。
表示スクリーン４１は、タッチパネルを使用する。
表示コントロールシステム４は、スマートフォン或いはタブレットＰＣにより置換することもできる。
【００１３】
座席バッグコントロール装置３１は、マイクロプロセッサー３１１、データ保存装置３１２及び無線通信モジュール３１３を有し、且つ相互間は電気的に連接される。
【００１４】
感知装置３２は、光センサー３２１、温度センサー３２２、重力センサー３２３、気圧計３２４、ジャイロメーター３２５、電子コンパス３２６、レーダーセンサー３２７及びＧＰＳシステムセンサー３２８を有する。
【００１５】
光センサー３２１は、環境の明るさの探知に用いる。
温度センサー３２２は、環境温度と座席バッグ２１温度の探知に用いる。
重力センサー３２３は、自転車２の加速状態或いは震動の探知に用いる。
気圧計３２４は、相対的な高度変化或いは気候変化の探知に用いる。
ジャイロメーター３２５は、自転車２の動態走行或いは静態相対角度の探知に用いる。
電子コンパス３２６は、自転車２の動態走行方向或いは静態配置方向の探知に用いる。
レーダーセンサー３２７は、後方車両と自転車２との相対距離の探知に用いる。
ＧＰＳシステムセンサー３２８は、自転車２所在地の探知に用い、走行ナビゲーションに用いることができる。
【００１６】
カメラレンズ装置３３は、リア撮影カメラレンズ３３１を有し、リア撮影カメラレンズ３３１は、自転車２の座席バッグ２１の後端に設置される。
リア撮影カメラレンズ３３１は、自転車２の座席バッグ２１後方のリアルタイム画像を撮影する。
【００１７】
ライティング装置３４は、補助ライト３４１、テールランプ３４２、インジケーター３４３及び装飾ランプ３４４を有する。
補助ライト３４１は、自転車２の座席バッグ２１の前端に設置され、テールランプ３４２、インジケーター３４３及び装飾ランプ３４４は、自転車２の座席バッグ２１の後端に設置される。
【００１８】
警告装置３５は、スピーカー３５１とバイブレーター３５２を有する。
スピーカー３５１は、音声説明、サウンドアラート（盗難防止或いは注意喚起）、ベル音声及び音楽再生に使用する。
バイブレーター３５２は、自転車２の座席バッグ２１を震動させ、注意喚起或いはアラートの用途に用いる。
座席バッグコントロール装置３１は、画像の圧縮／解凍、音声の圧縮／解凍、データの発送と受信及び数値の計算比較対象分析と自動コントロールの機能の処理に主に用いられる。
【００１９】
表示コントロールシステム４は、座席バッグコントロール装置３１の画像内容或いは数値データの表示に主に用いられ、座席バッグコントロール装置３１に対して対応するコントロール設定を行う。
座席バッグコントロール装置３１の無線通信モジュール３１３と表示コントロールシステム４のデータ通信装置４３は、Ｗｉｆｉ、ブルートゥース（登録商標）、携帯電話のインターネットアクセスメカニズム或いは一般の２．４Ｇ周波数帯域の電磁波などの無線電波により、数値データの伝送と受信を行う。
【００２０】
スマートコントロールシステム３のパワーサプライ装置３６は、充電電池モジュールを使用する。
パワーサプライ装置３６は、充電電池モジュール、ソーラーエネルギーモジュール、風力エネルギーモジュール、運動エネルギー発電モジュールの内の何れか一つ、或いは任意の組合せから選択する。
使用において、ソーラーエネルギーモジュールは、ソーラーエネルギーパネルを設置する自転車２の座席バッグ或いは車体フレームに連接する。
風力エネルギーモジュールは、風力転換アセンブリを設置する自転車２の座席バッグ或いは車体フレームに連接する。
運動エネルギー発電モジュールは、運動エネルギー転換アセンブリを設置する自転車２の伝動ギアに連接される。
【００２１】
補助装置５は、マイク５１、ベルプッシュボタン５２及びライトコントロールスイッチ５３を有する。
マイク５１は、自転車２の座席バッグ２１に設置され、且つスマートコントロールシステム３の座席バッグコントロール装置３１との間は電気的に連接される。
マイク５１は、音声のインプット、識別或いは走行環境の音声、談話の録音に用いられる。
ベルプッシュボタン５２は、自転車２のハンドルに設置され、且つ無線伝送の方式によりスマートコントロールシステム３の座席バッグコントロール装置３１に連結される。
ベルプッシュボタン５２は、信号を発信することで、スピーカー３５１をコントロールしベル音声を発生させる。
ライトコントロールスイッチ５３は、自転車２のハンドルに設置され、且つ無線伝送の方式によりスマートコントロールシステム３の座席バッグコントロール装置３１に連結される。
ライトコントロールスイッチ５３は、信号を発信することで、補助ライト３４１、テールランプ３４２、インジケーター３４３或いは装飾ランプ３４４をコントロールし、ライトのオン、オフ或いは対応するライト点滅効果を生じさせる。
ベルプッシュボタン５２或いはライトコントロールスイッチ５３は、有線連接の方式を使用し、スマートコントロールシステム３の座席バッグコントロール装置３１に連結される。
【００２２】
本発明は、スマートコントロールシステム３、表示コントロールシステム４及び補助装置５の設置により、自転車２は中、短距離の交通手段或いはフィットネスとして使用される基本的機能の他に、リアルタイムのＧＰＳナビゲーション、道路画像表示、走行データ記録、自転車本体盗難防止、ライティングサウンドアラート、ラジオ／音楽再生等機能を使用者に提供でき、自転車２走行の安全性を大幅に高めることができるだけでなく、快適で楽しく、娯楽とレジャーの機能を兼ね備えた騎乗体験を使用者に提供することができる。
【００２３】
前述した本発明の実施形態は本発明を限定するものではなく、よって、本発明により保護される範囲は後述される特許請求の範囲を基準とする。
【符号の説明】
【００２４】
１  自転車スマート座席バッグシステム
２  自転車
２１  座席バッグ
３  スマートコントロールシステム
３１  座席バッグコントロール装置
３１１  マイクロプロセッサー
３１２  データ保存装置
３１３  無線通信モジュール
３２  感知装置
３２１  光センサー
３２２  温度センサー
３２３  重力センサー
３２４  気圧計
３２５  ジャイロメーター
３２６  電子コンパス
３２７  レーダーセンサー
３２８  ＧＰＳシステムセンサー
３３  カメラレンズ装置
３３１  リア撮影カメラレンズ
３４  ライティング装置
３４１  補助ライト
３４２  テールランプ
３４３  インジケーター
３４４  装飾ランプ
３５  警告装置
３５１  スピーカー
３５２  バイブレーター
３６  パワーサプライ装置
４  表示コントロールシステム
４１  表示スクリーン
４２  コントロール処理モジュール
４３  データ通信装置
４４  電源モジュール
５  補助装置
５１  マイク
５２  ベルプッシュボタン
５３  ライトコントロールスイッチ
【図１】
2016101919.tif 000003
【図２】
2016101919.tif 000004
【図３】
2016101919.tif 000005
【図４】
2016101919.tif 000006
【図５】
2016101919.tif 000007